(57)【特許請求の範囲】
【請求項１】
前面に商品取出用の開口部を有する貯蔵室と、この貯蔵室の上部を形成する天板と、前記開口部の下部内側に設けられた冷気吸込口と、前記開口部を覆うことができると共に一端部に係合具を有しているナイトカバーと、前記冷気吸込口下側の空間部に設けられ、前記ナイトカバーを巻き込み収納するナイトカバー収納具とを備えたショーケースにおいて、
前記天板の前方で前記ナイトカバーを支持するナイトカバー支持部材と、ショーケースの天板に設けられ、前記係合具を係止するための係止部材とを備えたことを特徴とするショーケース。
【請求項２】
前記ナイトカバー支持部材は、ショーケースの天板に載置されることを特徴とする請求項１のショーケース。
【請求項３】
前記ナイトカバー支持部材は、ショーケースの背面に設けられた収納部に収納可能であると共に、この収納部から引出し可能としたことを特徴とする請求項２のショーケース。
【請求項４】
前記ナイトカバー支持部材は、背面に設けられた一対の摺動部材を摺動する摺動部と、前記ナイトカバーを支持する支持部とを備えたことを特徴とする請求項３のショーケース。
【発明の詳細な説明】
【０００１】
【発明の属する技術分野】
本発明は、夜間等に冷気が外部に漏れ出ないように前面開口部を覆うためのナイトカバーを有するショーケースに関するものである。
【０００２】
【従来の技術】
冷却ショーケース一般において、夜間等、貯蔵室内の商品を販売しない時間帯にも商品を冷却しておく必要があるが、その際、前面開口部を開放したままにしておくと、冷気が貯蔵室外に漏出して無駄が大きくなる。そこで、夜間等には、前面開口部を布あるいはフィルム状のナイトカバーで覆うようにしている。その場合、第１の従来例として、ナイトカバーを自動巻込式に巻き込んだナイトカバー収納具をショーケースの天板に設け、ナイトカバーを施す際には、ナイトカバー収納具からナイトカバーを下に引き出し、ハンドレールの内側にあるフックにナイトカバーの先端部分を引っ掛けるようにして、ナイトカバーがナイトカバー収納具に戻らないように保持するものがある。これにより、夜間等、貯蔵室内の商品を販売しない時間帯には、ナイトカバーで前面開口部をワンタッチで覆うことができ、それにより冷気の漏出を最少限に抑えて無駄な電力消費を防いでいる。
【０００３】
また、第２の従来例として、特開平１１−１９０５８５号公報に示される如く、ナイトカバーを巻き込み収納するためのナイトカバー収納具を、冷気吸込口の下側の冷気を通すダクト内に設け、このナイトカバーは、ナイトカバー収納具から冷気吸込口とハンドレールとの間に設けた間隙を通して上側に引き出すようにしたものがある。
【０００４】
【発明が解決しようとする課題】
ところで、図６の如きショーケースは、例えば、薬局等で瓶入りのドリンク剤を陳列販売するためのもので、高さをカウンタ等の高さに合わせる必要がある関係上、その高さは１ｍ程度に制限されている。図６において、１０は商品載置棚、１１は背面パネル、１５は天板、１６はハンドレールである。
【０００５】
このような高さが制限されているショーケースにも、ナイトカバーを設け、冷気の漏出を防止することによって消費電力量の削減を図る必要がある。その場合、第１の従来例では、天板１５の下面前側にナイトカバー収納具を設け、ナイトカバーをそれから下方に引き出し、ハンドレール１６の内側にあるフックにナイトカバーの先端部分を引っ掛けて保持させることになる。
【０００６】
しかしながら、そのようなショーケースでは、ナイトカバー収納具を配置する分だけ天板部を前側に迫り出させる必要があり、図６のもののようにケースの高さが低く制限される場合には、視界がその分狭められて上部の棚に陳列されている商品が前方上方から見えにくくなるという問題点があった。
【０００７】
また、第２の従来例のショーケースの如く、上記視界が低下しているという問題点を解決するため商品載置棚１０の前面より天板１５を後退させている場合には、商品載置棚１０又は商品載置棚１０に載置してある商品にナイトカバーが接触してしまい、商品を載置できなくなるためナイトカバーを使用できなかった。そのため、夜間等、貯蔵室内の商品を販売しない時間帯でも、冷気が漏出してしまい、冷却能力が低下し、無駄な電力消費を防ぐことができなかった。
【０００８】
本発明は、このような問題点を解決するために成されたもので、視界が狭められないようにすると共に、夜間等、貯蔵室内の商品を販売しない時間帯にナイトカバーで前面開口部を簡単な作業により覆うことができ、それにより冷気の漏出を最少限に抑えて、冷却能力の向上と一層の消費電力の低減を図ることができるようにすることを目的とするものである。
【０００９】
【課題を解決するための手段】
前記課題を解決するため、請求項１のショーケースは、前面に商品取出用の開口部を有する貯蔵室と、この貯蔵室の上部を形成する天板と、前記開口部の下部内側に設けられた冷気吸込口と、前記開口部を覆うことができると共に一端部に係合具を有しているナイトカバーと、前記冷気吸込口下側の空間部に設けられ、前記ナイトカバーを巻き込み収納するナイトカバー収納具とを備えたものであって、前記天板の前方で前記ナイトカバーを支持するナイトカバー支持部材と、ショーケースの天板に設けられ、前記係合具を係止するための係止部材とを備えたものである。
【００１０】
請求項１の発明によれば、ナイトカバー収納具を設けても視界が狭められるようなことがなくなると共に、夜間等、貯蔵室内の商品を販売しない時間帯にナイトカバーで前面開口部を簡単な作業により覆うことができ、冷気が漏出することがない。
【００１１】
請求項２のショーケースは、請求項１において、前記ナイトカバー支持部材は、ショーケースの天板に載置されるものである。
【００１２】
請求項２の発明によれば、ナイトカバー支持部材が天板に載置され、貯蔵室内にないので、ナイトカバー支持部材にナイトカバーを支持させこのナイトカバーにより前面開口部を覆う作業を、貯蔵室内の商品を倒したりすることがなく行うことができる。
【００１３】
請求項３のショーケースは、請求項２において、前記ナイトカバー支持部材は、ショーケースの背面に設けられた収納部に収納可能であると共に、この収納部から引出し可能としたものである。
【００１４】
請求項３の発明によれば、前面開口部をナイトカバーにより覆う作業を収納部から引出すことにより容易に行うことができると共に、ナイトカバーを使用しないときはナイトカバー支持部材を収納部に収納しておくことができる。
【００１５】
請求項４のショーケースは、請求項３において、前記ナイトカバー支持部材は、背面に設けられた一対の摺動部材を摺動する摺動部と、前記ナイトカバーを支持する支持部とを備えたものである。
【００１６】
請求項４の発明によれば、前面開口部をナイトカバーにより覆う作業を、ナイトカバーの摺動部が摺動部材を摺動することにより容易に行うことができると共に、容易にナイトカバー支持部材を収納部に収納することができる。
【００１７】
【発明の実施の形態】
以下、本発明の実施の形態を図面に基づいて説明する。尚、従来例と同等の作用又は機能を奏するものは同一の番号を付す。図１において、１は圧縮機、２は凝縮器、３は凝縮器ファン、４は冷却器、５は冷気循環ファン、６は冷気ダクト、７は冷気吐出口、８は冷気吸込口、９は断熱壁、１０は商品載置棚、１１は背面パネル、１３はナイトカバー、１４はナイトカバー収納具、１５は天板、１６はハンドレール、１７は排気ダクト、１８は貯蔵室、１９はナイトカバー先端支持杆、２０は把手、２２はフックである。また、２３は圧縮機１、凝縮器２及び凝縮器ファン３等が収納されている機械室である。
【００１８】
前記凝縮器用ファン３は吸引型の送風機であり、凝縮器２から後方に延在するファンケース２４の後端に取り付けられている。これにより、凝縮器用ファン３が運転されると、凝縮器２の前側の空気は凝縮器２内に吸い込まれ、この凝縮器２及び凝縮器用ファン３を経て後方の圧縮機１に吹き付けられることになる。それによって、凝縮器２と圧縮機１の放熱を促進させる。また、この機械室２３の後面は閉塞板２５により閉塞されると共に、機械室２３の前面開口には機械室カバー２６が取り付けられている。
【００１９】
機械室カバー２６には、吸込口２７が設けられている。この機械室カバー２６が機械室２３の開口に取り付けられることによって、機械室２３内は、凝縮器２及び凝縮器ファン３を介して機械室カバー２６の前方に連通すると共に、ショーケースＳ背部の外箱の裏板３９とダクト裏板２８との間に形成された排気ダクト１７を介して、ショーケースＳ上方に連通するかたちとなる。
【００２０】
一方、圧縮機１で圧縮され、凝縮器２で液化された冷媒が、冷却器４で蒸発することにより、そこを流れる空気を冷却する。冷却器４で冷却された冷気は、冷気ダクト６を通って冷気吐出口７から貯蔵室１８内に吐出され、貯蔵室１８内を循環しながら、その中に陳列された商品Ｖを冷却し、冷気吸込口８から吸い込まれて冷気循環ファン５により再び冷却器４に送られる。そして、冷気吐出口７から冷気吸込口８の間に冷気のエアーカーテンが形成され、貯蔵室１８から外部への冷気の漏出が防止される。
【００２１】
他方、凝縮器用ファン３の運転によって機械室カバー２６前方の外気は吸込口２７から吸引され、先ず凝縮器２に流入して空冷する。次ぎに、凝縮器用ファン３を経て圧縮機１に吹き付けられ、それを空冷する。このように凝縮器２、圧縮機１を順次空冷して暖かくなった外気（暖気）は、機械室２３の後面が閉塞板２５によって閉塞されているため、機械室２３の後部において、上方の排気ダクト１７内に向かい、ショーケースＳの外に吹き出される。
【００２２】
ナイトカバー収納具１４は冷気吸込口８の下側の冷気ダクト６内に設けられている。これにより、天板１５にナイトカバー収納具１４を設ける必要がなくなり、その分、天板１５の前端を後ろ側に下げ、ショーケースＳ内部の商品Ｖを見易くすると共に、ナイトカバー収納具１４が外側から見えないようにして、外観を良くすると共に、商品Ｖを取り出し易くしている。
【００２３】
ナイトカバー１３は、ナイトカバー収納具１４に巻き込まれて収納されており、その先端には、ナイトカバー１３の全幅にわたってナイトカバー先端支持杆１９が取り付けられ、ナイトカバー先端支持杆１９の中央部には把手２０が取り付けられている。また、ナイトカバー収納具１４は、スプリングにより自動巻込式になっており、把手２０を持って上に引くとその中からナイトカバー１３を引き出すことができ、把手２０から手を離すと自動的に巻き込まれるようになっている。ナイトカバー１３が巻き込まれている状態では、ハンドレール１６の後ろ側に隠れて見えないようになっている。
【００２４】
また、冷気吸込口８とハンドレール１６の内壁に設けられた案内板４０との間にナイトカバー１３が通ることができるナイトカバー引出し部４１を設け、そこを通してナイトカバー１３を上に引き出すようにしている。
【００２５】
前述の如く、ショーケースＳ背部の外箱裏板３９とダクト裏板２８との間に排気ダクト１７が形成されており、この排気ダクト１７の上部が前記ナイトカバー支持部材３３を収納する収納部３０となっている。この収納部３０内の左右に一対の摺動部材３１、３１が設けられ、この摺動部材３１、３１の側面部には、上下に長くガイド孔３２，３２がそれぞれ設けられている。ナイトカバー支持部材３３は、ナイトカバーを使用する際は、その支持部３４が天板１５より前方に突出した状態でナイトカバー１３を支持するものである。このナイトカバー支持部材３３は、前記支持部３４と、天板１５の上部に載置される載置部３５、３５と、摺動部３６、３６とを有するもので、この摺動部３６、３６が摺動部材３１、３１に設けられたガイド孔３２、３２に差込まれ、このガイド孔３２、３２を摺動することにより、ナイトカバー支持部材３３を引き出すことができるようにされている。
【００２６】
そして、ナイトカバー支持部材３３を引き出してから、把手２０を持ってナイトカバー１３を上に引き上げ、天板１５の後端部に設けた係止部材としてのフック２２に把手２０を係止させると、ナイトカバー１３は、ショーケースＳ前面の開口部２１を覆った状態に保持されて冷気の漏出を防止する。
【００２７】
その状態では、ナイトカバー１３は、天板１５より前方でナイトカバー支持部材３３の支持部３４に支持されているため、商品載置棚１０上の商品Ｖに接触することがない。また、ナイトカバー１３は、冷気吐出口７より前方に位置するため、冷気吐出口７から吐出された冷気は冷気吸込口８に導かれることになる。また、ナイトカバー１３の表側には、内外温度差により結露が発生するが、発生した結露水は、ナイトカバー１３を伝って冷気吸込口８とハンドレール１６との間の間隙（ナイトカバー引出部４１）を通って冷気ダクト６内に導かれ、図示しない排水口から機械室２３に排出される。したがって、結露水がショーケースＳ前側の床に垂れ落ちるようなことはなくなる。
【００２８】
また、ナイトカバーの把手をショーケースＳの天板１５のフック２２に係止する位置は、前記排気ダクト１７より前方であるので、天板１５上方への暖気の排気を阻害しないので、機械室内の圧縮機や凝縮器の放熱を妨げることがない。
【００２９】
次に、ナイトカバー支持部材３３の引出し方法及び収納方法について説明する。ナイトカバー支持部材３３が収納部３０に収納されているとき、ナイトカバー支持部材３３の摺動部３６は摺動部材３１のガイド孔３２，３２の略下端に位置し、支持部３４は、天板１５の略上端部に位置して収納されている。ショーケースＳの前方からナイトカバー支持部材３３の支持部３４を掴み引き上げると、摺動部３６はガイド孔３２，３２に沿って上方に摺動する。そして、前方に引き、支持部３４をショーケースＳの天板１５より前方に位置させ、天板に載置する。このとき、ナイトカバー支持部材は、その摺動部がガイド孔に係合しているため、後方には移動しないため、この状態で、ナイトカバー１３を支持部３４に接触させることにより前面開口部２１をナイトカバー１３により覆うことができる。
【００３０】
また、ナイトカバー１３を収納するときは、ナイトカバー１３をナイトカバー収納具１４に収納した後、ナイトカバー支持部材３３を少許持ち上げてから後下方に押すことによって、ナイトカバー支持部材３３の摺動部３６は下方に垂下すると共に、その支持部３４は後方に移動する。そして、摺動部３６が摺動部材３１のガイド孔３２，３２の下端まで垂下したときには、ナイトカバー支持部材３３は、排気ダクト１７内に収納された状態になり、ナイトカバー支持部材３３を収納部３０に容易に収納することができる。
【００３１】
【発明の効果】
本発明は、以上説明したように構成されているので、次に記載するような効果を奏する。請求項１の発明によれば、ナイトカバー収納具を設けても視界が狭められるようなことがなくなると共に、夜間等、貯蔵室内の商品を販売しない時間帯にナイトカバーで前面開口部を簡単な作業により覆うことができ、冷気が漏出することがない。
【００３２】
請求項２の発明によれば、ナイトカバー支持部材が天板に載置され、貯蔵室内にないので、ナイトカバー支持部材にナイトカバーを支持させこのナイトカバーにより前面開口部を覆う作業を、貯蔵室内の商品を倒したりすることがなく行うことができる。
【００３３】
請求項３の発明によれば、前面開口部をナイトカバーにより覆う作業を収納部から引出すことにより容易に行うことができると共に、ナイトカバーを使用しないときはナイトカバー支持部材を収納部に収納しておくことができる。
【００３４】
請求項４の発明によれば、前面開口部をナイトカバーにより覆う作業を、ナイトカバーの摺動部が摺動部材を摺動することにより容易に行うことができると共に、容易にナイトカバー支持部材を収納部に収納することができる。
【図面の簡単な説明】
【図１】本発明のナイトカバーカバーを使用した状態を示す縦断面図である。
【図２】図１におけるＡ部拡大断面図である。
【図３】図１におけるＢ部拡大断面図である。
【図４】ナイトカバーを使用した状態をダクト裏板を外してショーケースの背面から見た斜視図である。
【図５】ショーケースの背面からナイトカバー支持部材が収納部に収納されている状態を見た斜視図である。
【図６】従来のショーケースを示す縦断面図である。
【符号の説明】
１…圧縮機
２…凝縮器
４…冷却器
６…冷気ダクト
７…冷気吐出口
８…冷気吸込口
１０…商品載置棚
１３…ナイトカバー
１４…ナイトカバー収納具
１５…天板
２０…把手
２２…フック
３０  ナイトカバー収納部
３１  摺動部材
３２  ガイド孔
３３  ナイトカバー支持部材
３４  支持部
３５  載置部
３６  摺動部
【図１】
0003825609.tif 000002
【図２】
0003825609.tif 000003
【図３】
0003825609.tif 000004
【図４】
0003825609.tif 000005
【図５】
0003825609.tif 000006
【図６】
0003825609.tif 000007